(57)【要約】【課題】吊り下げ部及び排出口を折り曲げることなく、連通構造と吊り下げ解除構造がリンクした構造を持つ、未連通での患者への薬剤投与が回避可能な構造を持つ医療用複室容器を提供すること。【解決手段】  薬剤入りの医療用複室容器であって、剥離可能な弱シール部によって少なくとも２つの薬剤室に液密に区画され、各々の前記薬剤室に薬剤が封入されている可撓性の容器本体と、前記容器本体の一つの前記薬剤室に連通したポートと、各々の前記薬剤室が連通後、吊り下げ時に前記ポートが最下に位置するように設けられた吊り下げ手段と、連通前に、前記容器吊り下げ手段が未連通時に使用不能となるよう設けられた、容器吊り下げ防止手段とからなる医療用複室容器を用いる。【選択図】  図１
2007130358.tif 000002
【特許請求の範囲】
【請求項１】
薬剤入りの医療用複室容器であって、
剥離可能な弱シール部によって少なくとも２つの薬剤室に液密に区画され、各々の前記薬剤室に薬剤が封入されている可撓性の容器本体と、
前記容器本体の一つの前記薬剤室に連通したポートと、
各々の前記薬剤室が連通後、吊り下げ時に前記ポートが最下に位置するように設けられた吊り下げ手段と、
連通前に、前記容器吊り下げ手段が未連通時に使用不能となるよう設けられた、容器吊り下げ防止手段とからなる、
医療用複室容器。
【請求項２】
前記容器吊り下げ手段が、前記容器本体に設けられてなる請求項１に記載の医療用複室容器。
【請求項３】
前記容器吊り下げ手段が、前記容器吊り下げ防止手段に設けられてなる請求項１に記載の医療用複室容器。
【請求項４】
前記容器吊り下げ防止手段が、一つの前記薬剤室を挟掴する挟掴部材である請求項１から３に記載の医療用複室容器。
【請求項５】
前記挟掴部材が、一つの部材からなる請求項１から４に記載の医療用複室容器。
【請求項６】
前記挟掴部材が、第一の部材と第二の部材とが屈曲可能な連結部によって連結された部材である請求項１から４に記載の医療用複室容器。
【請求項７】
前記挟掴部材の、前記第一の部材と前記第二の部材と前記連結部とが一体成型されてなる請求項１から４及び６に記載の医療用複室容器。
【請求項８】
前記挟掴部材の、前記第一の部材に前記容器吊り下げ手段が形成されるとともに、前記第二の部材が前記容器本体に固定されてなる請求項１，３，４，６及び７に記載の医療用複室容器。
【請求項９】
前記挟掴部材の、前記第二の部材に前記容器吊り下げ手段が形成されるとともに、前記第一の部材が前記容器本体に固定されてなる請求項１，３，４，６及び７に記載の医療用複室容器。
【請求項１０】
前記挟掴部材が透明部材又は半透明部材で形成されてなる請求項１から９に記載の医療用複室容器。
【発明の詳細な説明】
【技術分野】
【０００１】
本発明は、医療用複室容器に関する。詳しくは、未連通状態で使用不可能な医療用複室容器に関する。
【背景技術】
【０００２】
予め混合した状態で保管しておくと変質などによって保存性が悪くなる薬剤や薬液がある。これらの薬剤や薬液は個別に保管され、使用直前に無菌混合によって混合され使用される。保管時には薬剤や薬液を個々に保管し、使用時にはこれらの薬剤や薬液を無菌混合するために医療用複室容器が用いられている。
【０００３】
これは、容易に剥離可能な弱シール部によって区画される複数の室内に複数の薬剤及び薬液を別々に保存しておき、薬剤投与の直前に容器を手で押圧するなどして弱シール部を剥離させ、複数の室を連通させて内容物を無菌状態で混合あるいは溶解させるというものである。
【０００４】
しかし、従来の医療用複室容器は、複数の室が連通したかどうかを見分ける方法はなく、目視により見分けることが一般的である。そのため医療用複室容器に封入されている薬剤を連通しないまま患者に投与してしまうといったミスが報告されている。
【０００５】
このような未連通状態での患者への複室容器からの薬剤投与を回避するために、未連通状態で薬剤を投与しないような機構が提案されている。例えば、吊り下げ穴を開封確認用シールで塞ぐことで、未連通状態の複室容器から患者に薬剤を投与しないように注意を喚起するものである（特許文献１）。
【０００６】
また、複数の薬剤室が未連通の状態では吊り下げ部及び排出口が粘着シールによって使用不能に（折り曲げて）固定され、複数の薬剤室が連通することによって粘着シールが剥離可能となって吊り下げ部及び排出口が使用可能となることで未連通状態での患者への薬剤投与を回避するものもある（特許文献２）。
【０００７】
【特許文献１】実用新案登録３０７４８８５号
【特許文献２】特開２００５−２１８６６１
【発明の開示】
【発明が解決しようとする課題】
【０００８】
しかし、特許文献１のような、注意を喚起する開封確認用シールを吊り下げ穴に貼付して吊り下げ穴を塞ぐ構造では、単に注意を喚起するに留まり、開封確認用シールは連通構造とリンクしていないので未連通状態であっても開封確認用シールを剥がすことで使用可能となってしまうため、未連通状態の複室容器から調製していない薬剤を患者に投与してしまうおそれがある。また、特許文献２のような粘着シールによって吊り下げ部及び排出口を容器側に折り曲げて固定される構造では、粘着シールの劣化や粘着シールの貼付が不十分なことによって粘着シールが剥がれ、未連通であるにも関わらず連通状態であると認識してしまうおそれがある。また、加工の点においても各々のシール強度の設定が困難である。なぜならば、吊り下げ部側を折り曲げて固定する場合、例えば最上の薬剤室に粉末製剤が封入されている場合、最上の薬剤室は膨張率が大きくないため、粘着シールの粘着力を強いものにすると、粘着シールに剥離力を与えることは困難であり、粘着力を弱くすると連通前であっても何らかの衝撃等によって粘着シールが剥がれるおそれがある。排出口を折り曲げて固定する場合には、連通部の弱シール強度と排出口固定用の粘着シール強度との関係を、弱シールが剥離するまで粘着シールは剥離しない強度であり、且つ弱シールが剥離して連通した際には速やかに粘着シールが剥離する強度に加工しなければならないからである。また、排出口を折り曲げてある状態で勝手に弱シール部に圧力がかかり連通してしまったり、連通の際に折り曲げられた排出口が邪魔をして容器を押圧しにくくなったりといったおそれがある。そこで、吊り下げ部及び排出口を折り曲げることなく、連通構造と吊り下げ解除構造がリンクした構造を持つ、未連通での患者への薬剤投与が回避可能な構造が必要である。
【０００９】
本発明の目的は各室が未連通の状態で使用不能である医療用複室容器を提供することにある。
【課題を解決するための手段】
【００１０】
そこで、本発明者らは、
（１）薬剤入りの医療用複室容器であって、剥離可能な弱シール部によって少なくとも２つの薬剤室に液密に区画され、各々の前記薬剤室に薬剤が封入されている可撓性の容器本体と、前記容器本体の一つの前記薬剤室に連通したポートと、各々の前記薬剤室が連通後、吊り下げ時に前記ポートが最下に位置するように設けられた吊り下げ手段と、連通前に、前記容器吊り下げ手段が未連通時に使用不能となるよう設けられた、容器吊り下げ防止手段とからなる医療用複室容器。
（２）前記容器吊り下げ手段が、前記容器本体に設けられてなる（１）に記載の医療用複室容器。
（３）前記容器吊り下げ手段が、前記容器吊り下げ防止手段に設けられてなる（１）に記載の医療用複室容器。
（４）前記容器吊り下げ防止手段が、一つの前記薬剤室を挟掴する挟掴部材である（１）から（３）に記載の医療用複室容器。
（５）前記挟掴部材が、一つの部材からなる（１）から（４）に記載の医療用複室容器。
（６）前記挟掴部材が、第一の部材と第二の部材とが屈曲可能な連結部によって連結された部材である（１）から（４）に記載の医療用複室容器。
（７）前記挟掴部材の、前記第一の部材と前記第二の部材と前記連結部とが一体成型されてなる（１）から（４）及び（６）に記載の医療用複室容器。
（８）前記挟掴部材の前記第一の部材又は第二の部材に前記容器吊り下げ手段が形成されるとともに、前記容器吊り下げ手段が設けられないもう一つの部材が前記容器本体に固定されてなる（１），（３），（４），（６）及び（７）に記載の医療用複室容器。
（９）前記挟掴部材が透明部材又は半透明部材で形成されてなる（１）から（８）に記載の医療用複室容器
を用いることにより、容器吊り下げ防止手段が医療用複室容器の各室が未連通状態では容器吊り下げ手段を使用不能となるよう設けられており、各室が連通することによって容器吊り下げ防止手段が解除される構造となっているため、連通構造と吊り下げ防止手段を解除する構造がリンクした構造であり、医療用複室容器の各室が未連通状態での使用を不可能とし、患者への未調製の薬剤を投与する危険を回避するとともに、医療用複室容器の全室が連通した際には、速やかに使用可能であることを見出し本願発明に至った。
【発明の効果】
【００１１】
本発明の医療用複室容器は、上述のように未連通の状態では吊り下げ構造を妨害する容器吊り下げ防止手段が設けられているために未連通の状態では吊り下げることができず、使用することが出来ないので、未連通のままの調整されていない薬剤を誤って患者に投与することがないため医療に好適に用いることができる。
【発明を実施するための最良の形態】
【００１２】
図１は、本発明の医療用複室容器及び医療用複室容器及び容器吊り下げ防止手段についての一実施態様例の図である。図２は、本発明の医療用複室容器及び医療用複室容器及び容器吊り下げ防止手段についての他の実施態様例の図である。図３（ａ），（ｂ）は、未連通吊り下げ防止手段についての実施態様例の斜視図である。図４は、図１に示された医療用複室容器の使用方法についての側面図である。
【００１３】
図１は、第一の薬剤室１と第二の薬剤室２とからなる複室の容器本体Ａと、ポート３とクリップ４とを含む医療用複室容器である。容器本体Ａは、筒状のフィルムから形成された袋状の第一の薬剤室１と、積層フィルムであるフロントシート及びリアシートの一辺を除く周縁を貼り合わせて形成された袋状の第二の薬剤室２とを、第一の薬剤室１と第二の薬剤室２とが連通するように連結し、第一の薬剤室１と第二の薬剤室２との連結内部に弱シール部５を設け、弱シール部５によって第一の薬剤室１と第二の薬剤室２とが液密に区画されている可撓性の複室容器である。第一の薬剤室１には薬液が、第二の薬剤室２には粉末製剤が封入されている。容器本体Ａの上部には、容器吊り下げ手段である吊り下げ孔６が設けられ、吊り下げ孔６と対称に位置する容器本体Ａの下部には、第一の薬剤室１と連通する、下端をゴム栓体３１によって閉鎖されたポート３が、容器本体吊り下げ時に軸が略重力方向となるように設けられている。吊り下げ穴６を前・後面から覆い、第二の薬剤室２の両面を挟むように、挟掴部材であるクリップ４が容器吊り下げ防止手段として、容器本体Ａの上端から容器本体Ａを挟掴している。クリップ４は第一の部材と第二の部材である板状のフロントボード４１とリアボード４２とが、屈曲可能な連結部であるヒンジ部によって連結した構造となっており、第一の部材と第二の部材と連結部とが一体成型されている。クリップ４のフロントボード及びリアボードの、クリップが容器本体に挟掴した際に内側に位置する面にそれぞれ設けられた、挟掴手段４３であるロック部４３１及び被ロック部４３２は、吊り下げ孔６を通すように係合している。なお、リアボード４２に設けられた円弧状凸部であるずれ防止４５はクリップが吊り下げ孔６よりずれないためである。ロック部４３１と被ロック部４３２が係合することによってクリップ４が容器本体Ａに挟掴されており、クリップのフロントボード４１及びリアボード４２が第二の薬剤室２にかかるように取り付けられている。
【００１４】
クリップ４は、第一の薬剤室１を押圧することによって第一の薬剤室１と第二の薬剤室２とが連通し、第二の薬剤室２が膨張することによってフロントボード４１及びリアボード４２は第二の薬剤室２の膨張を受けて、ボードそれぞれが離れる方向に力を受けるためロック部４３１と被ロック部４３２との係合が外れ、クリップ４が外れる構造となっている。このように、クリップ４は第一の薬剤室１と第二の薬剤室２とが連通し、第二の薬剤室２が膨張することによってフロントボード４１とリアボード４２とが離れる方向に力が掛かり、第二の薬剤室２のクリップ４が外れるため、未連通の状態、即ち第二の薬剤室２が膨張することなしにクリップ４は外れず、第一の薬剤室１と第二の薬剤室２とが連通することによってクリップ４が外れて容器本体Ａが吊り下げ可能となる。従って、吊り下げ孔６は、未連通の状態ではクリップ４に塞がれることによって出現しないのでスタンド等に掛けることが不可能であるため、未連通の状態では使用することがない。また、液の連通によって第二の薬剤室２が膨張して、クリップ４が外れる構造となっており、連通構造と吊り下げ解除構造がリンクした構造となっている。
【００１５】
図２は本発明の別の形態である。クリップ４のフロントボード４１に容器吊り下げ手段であるハンガー部４７が形成されている。リアボード４２は、リアボード４２の結合部４２１と固定片４６の被結合部４６１が吊り下げ孔６を通すように係合することによって、クリップ４が容器本体Ａに装着され、フロントボード４１は、フロントボード４１に形成されたロック部４３１がリアボード４２に形成された被ロック部４３２と係合することによって、フロントボード４１とリアボード４２とが容器本体Ａを挟掴している。固定片４６は第二の薬剤室２に掛からないように配置されているため、第二の薬剤室２が膨張しても固定片４６の係合が外れることはなく、クリップ４は容器本体Ａに装着されたままである。このように、クリップ４が折り曲げられて装着され、ハンガー部４７が容器本体Ａと接して、クリップ４の片面が覆われることによって容器吊り下げ防止手段となっていると同時に、フロントボード４１とリアボード４２の挟掴が解除された際には、フロントボード４１が容器本体Ａより離れ、クリップ４が容器吊り下げ手段となるものである。クリップ４の容器吊り下げ防止手段の解除の際、固定片４６とリアボード４２との係合は外れることがないためクリップ４が容器本体Ａから分離・脱落することはない。ここで、クリップ４の容器本体Ａへの固定方法は、固定可能であれば形状については図２のような形状に限定されず、リアボード４２と容器本体Ａとをピンのようなもので固定してもよい。なお、クリップ４の固定構造とハンガー部４７との構造は、フロントボード４１が容器本体Ａと固定され、リアボード４３にハンガー部４７が形成されていてもよい。吊り下げ手段であるハンガー部４７は孔状に限られず、フック状であってもよいが、孔状であるほうがスタンドからの落下するおそれがないため好ましい。容器本体Ａに備えられた吊り下げ孔６がクリップの取り付けに適さない場合や、容器本体Ａに吊り下げ孔６が存在しない場合は、ハンガー部４７の形成されていない側の板状部材を容器本体Ａに直接ピン等で留めてもよいが、この時、容器本体Ａの吊り下げ孔６は使用不能な状態にしておく。なお、容器吊り下げ手段にハンガー部４７が形成されている上記のようなタイプの場合、容器本体Ａに備えられている吊り下げ孔６は容器吊り下げ手段としては使用しない。そのため、容器本体Ａに吊り下げ孔６が無くてもよい。
【００１６】
図１のようにクリップが分離するタイプでは、吊り下げ孔が容器本体に形成されているため安定であり、図２のようにクリップが分離しない構造とすることによって、無用なゴミが発生しない。
【００１７】
クリップ４は、容器吊り下げ防止手段となる挟掴部材である。第一の部材と第二の部材が屈曲可能な連結部によって連結した構造となっている。上記実施例では連結部４４がヒンジ部で形成されており、二枚の板状部材とヒンジ部とが一体成型によって形成されている。しかし、挟掴部材は容器吊り下げ防止手段として作用すれば連結部４４はヒンジ部に限られず、また、一体成型でなくてもよい。例えば、二つの部材がシールや蝶番によって連結されていてもよい。
【００１８】
クリップ４は表示ラベルの表示を妨げないような形状及び材質あれば特に限定されない。予め表示ラベルをクリップ４と重ならない形状にする方法も可能であるが、広く医療用複室容器に使用できるよう、クリップ４を容器本体Ａに挟掴した際に、クリップ４を通してクリップ下の印字（表示ラベル）が解読可能であるような透明度を有する材質であることが好ましい。さらには、表示ラベル側が前記透明度を有する材質であって、内容薬剤確認側が不透明である材質に構成されていることが特に好ましい。内容薬剤確認側を不透明にすることによって、内容薬剤の目視確認の妨げとなって注意を喚起できるため、未連通状態で使用することを回避できるためである。この時、クリップは薬剤室内の薬剤を目視確認する箇所を全て塞ぐわけではないため、薬剤が確認できなくなるものではない。クリップを吊り下げに使用する図２のような場合は、薬剤入りの薬剤容器の自重に耐えうる強度を有するものであれば、特に形状及び材質は限定されるものではない。
【００１９】
クリップ４のロック部４３１と被ロック部４３２の係合形状は図３（ａ）に示されるクランク型のロック機構以外にも、最上室の膨張を受けて外れる形状であれば特に限定されなく、他にも図３（ｂ）のように、ずれ防止と係合させるタイプでもよいし、図３（ｃ）のようなボタンを嵌め合わせる形状でもよい。また、本発明の医療用複室容器に限らず、剥離可能な遮光用のアルミ製カバーシートを有しない従来の複室容器であっても、本発明の医療用複室容器の部材であるクリップを吊り下げ孔に装着させることによって未連通防止の効果を得ることが出来る。
【００２０】
クリップ４に設けられたずれ防止４５は、万が一、クリップ４が容器本体Ａを挟掴している状態でクリップをずらすほどの強い力がクリップの横方向に掛かった際に、容器本体Ａに形成された吊り下げ孔６が露出しないようにするためのものである。ずれ防止４５を設けなくても、万が一クリップ４がずれた場合にも吊り下げ孔６が露出しなければよく、例えばボードを広く形成することでもよい。ずれ防止４５は容器本体Ａに形成された吊り下げ孔６と略同一形状の凸部であることが好ましい。吊り下げ孔６と略同一形状の凸部のずれ防止４５を設けることによって、クリップの容器本体への装着安定度が増すため、不可抗力によってクリップが容器本体への初期装着位置よりずれることを防ぐ事が可能である。
【００２１】
また、上記クリップによる方法以外にも容器吊り下げ防止手段の挟掴部材として、容器本体の各室が連通後、第二の薬剤室が膨張することによって容器吊り下げ防止手段が解除可能となるものであればよい。例えば、第二の薬剤室が膨張すると共に開裂する、割り箸のようなものや、装着が外れると屈曲状態から伸長状態に復元する弾性体の板状部材にロック部及び被ロック部を設けて上記クリップのように形成し、強制的に屈曲させて容器本体に装着させるものを使用してもよい。なお、この場合であっても、上記理由によりずれ防止は形成することが好ましい。
【００２２】
薬剤室の材質は、薬剤が安定的に保存可能であれば材質は特に限定されるものではなく、通常、薬剤バッグに用いられる合成樹脂製フィルムで形成される。薬剤が粉末である場合には、薬剤を安定に保存可能であって、ガス・水分遮断性を有し、バッグ強度に優れるものが好ましく、フィルムを袋状にしたときに薬剤と接する最内層が薬剤を安定的に保存可能であるポリエチレン及び環状ポリオレフィン、中間層が水分及びガスを遮断にし,印刷強度に優れる蒸着ポリエチレンテレフタレート、外界側となる最外層が製袋性に優れたポリエチレン又はポリエチレンテレフタレートで形成される積層フィルムを用いることが特に好ましい。このようにフィルムを積層することによって、合成樹脂を透過しようとする水分やガスを遮断することが可能である。また、薬剤が液体である場合には、低温衝撃に強く柔軟性に優れるポリエチレンを用いることが好ましい。
【００２３】
容器本体Ａにおいて、第一の薬剤室１は筒状のフィルムから形成され、第二の薬剤室２はシートの貼り合わせによって形成されている。図１の場合、第一の薬剤室に液体の薬剤が、第二の薬剤室に固形（粉末）製剤が封入されており、薬剤保存に適したフィルムの積層素材を換える必要があるため、第一の薬剤室と第二の薬剤室とを別々に製造して連結させて容器本体としたものである。しかし、容器本体の構造は上記図１のみに限定されるものではなく、薬剤室に封入された薬剤が安定に長期保存可能であればよい。例えば、第二の薬剤室に積層フィルムを使用する必要がなければ第二の薬剤室を筒状のフィルムから形成してもよいし、第一の薬剤室及び第二の薬剤室に封入する薬剤が同じ素材の積層フィルムが適している場合には、容器本体Ａを一体成型で形成し、複室となるように弱シール部で区画してもよい。また、弱シール部との兼ね合い等の製造上必要であれば、フロントシートとリアシートとに分割して形成したフィルムを貼り合わせてもよい。
【００２４】
薬剤及び薬液に、光に晒すと変質・劣化してしまうものを用いる場合、薬剤室を形成するフィルムに遮光性を有するものを積層する。通常、薬剤室の片面を、アルミ箔層を加えた積層フィルムで形成し、もう一方の面を、アルミ箔層を加えない積層フィルムで形成した薬剤室を用い、アルミ箔層を加えない積層フィルム側に、剥離可能なアルミとポリエチレンテレフタレートから形成されるカバーシートを被覆させる。これは、両面アルミ箔層を加えることによって封入されている薬剤状態が目視できなくなり、変質に気づかないまま使用してしまうということを避けるためである。薬剤の目視確認は連通前に行うので、本発明の医療用複室容器のようにクリップが第二の薬剤室に掛かる形状である場合、これを用いることは出来ないが、例えば、アルミのカバーシート形状を凹型にすることによってクリップが重ならずに剥離可能な形状にしたり、遮光性を有しかつ内部の薬剤状態が確認可能な程度の透明度を有する素材をシートに積層したりする事で使用することが可能となる。また、保存時に、着色した遮光性を有するポリエチレンテレフタレートの袋にいれて本発明の医療用複室容器を保管しておくことでも遮光保存が可能であるため、容器本体に遮光性のシートを積層したものが用いられていなくても、光で変質・劣化してしまう薬剤を使用できる。上記方法をとることによって、遮光して保存が必要な薬剤に対しても本発明の医療用複室容器を使用することが可能である。
【００２５】
第二の薬剤室に封入された薬剤は粉末製剤であるが、第二の薬剤室に未連通状態でクリップが外れないような量のものであれば薬液を封入してもかまわない。特に、第二の薬剤室に封入された薬剤が粉末製剤である場合、第二の薬剤室の薬剤の移動による膨張変化がほとんど無いためクリップを安定して挟掴できるため好ましい。
【００２６】
弱シール部５は、各々の薬剤室が液体密に区画可能であって、容器を押圧した際には速やかに各々の薬剤室が連通可能であれば、構造は特に問わない。例えば、弱シール部に弱シール部形成用シートを咬ませて弱シール部を形成する場合、このシートは通常、最内層の材料と溶着強度の弱い樹脂が採用される。例えば、最内層がポリエチレンである場合、ポリエチレンとポリプロピレンとを３：７〜７：３に混合したポリマーブレンドが好適に採用される。最内層の材料と溶着強度の弱い樹脂を用いることによって、最内層と溶着しない箇所が弱シール部に点在するため弱シールが可能となる。また、最内層がポリエチレンとポリプロピレンとのポリマーブレンドである場合には、容器本体を２００〜２５０℃で溶着し、弱シール部形成用シートを１２０℃前後で溶着して弱シール部を形成することによって、連通時の押圧によって容器周縁は剥離することなく弱シール部のみを剥離可能とする構造を達成することができる。
【００２７】
ポート３は筒状体であって、ポート下部開口部は栓体が装着されている。栓体のゴムには通常、イソプレンゴム、ブタジエンゴム等が用いられる。
【００２８】
図４を用いて、図１に示される医療用複室容器の使用方法を説明する。まず、第一の薬剤室１を外部より押圧して弱シール部５を剥がし、第一の薬剤室１と第二の薬剤室２とを連通させる。連通することによって第一の薬剤室１の薬剤が第二の薬剤室２に移動し第二の薬剤室２の体積が増大する。そのため、第二の薬剤室２が膨張し厚みを持つので、容器本体Ａを挟掴しているクリップ４が外れ、クリップ４と容器本体Ａとが分離可能となるとともに、クリップ４によって覆われていた吊り下げ孔６が露出する。このように、未連通吊り下げ防止手段を挟掴部材とすることによって、最上室でない、薬液入りの薬剤室を押圧して全室を連通し、最上室に薬液が流入して膨張することを利用して、連通手段と吊り下げ手段がリンクした構造となっている。上記構造をとることによって、複室が連通するまで未連通吊り下げ手段が解除されないため、容器を吊り下げることが出来ず、未連通状態で患者に薬液を投与するおそれがない。
【産業上の利用可能性】
【００２９】
本発明の医療用複室容器は、上述のように未連通の状態では吊り下げ構造を妨害する容器吊り下げ防止手段が設けられているために未連通の状態では吊り下げることができず、使用することが出来ないので、未連通のままの調整されていない薬剤を誤って患者に投与することがないため医療に好適に用いることができる。
【図面の簡単な説明】
【００３０】
【図１】本発明の医療用複室容器及び容器吊り下げ防止手段についての一実施態様例の図。
【図２】本発明の医療用複室容器及び容器吊り下げ防止手段についての他の実施態様例の図。
【図３】（ａ），（ｂ）未連通吊り下げ防止手段についての実施態様例の斜視図。
【図４】図１に示された医療用複室容器の使用方法についての側面図。
【符号の説明】
【００３１】
Ａ      容器本体
１      第一の薬剤室
２      第二の薬剤室
３      ポート
３１    栓体
４      クリップ
４１    フロントボード
４２    リアボード
４２１  結合部
４３    挟掴手段
４３１  ロック部
４３２  被ロック部
４４    連結部
４５    ずれ防止
４６    固定片
４６１  被結合部
４７    ハンガー部
５      弱シール部
６      吊り下げ孔
【図１】
2007130358.tif 000003
【図２】
2007130358.tif 000004
【図３】
2007130358.tif 000005
【図４】
2007130358.tif 000006